(57)【特許請求の範囲】
【請求項１】
受電用接点端子と回転する現像剤担持体に対して摺動する複数の給電用接点端子とを備えた給電部材を有し、現像剤を外周面に担持して回転する前記現像剤担持体へ現像バイアス電源から前記給電部材を介して現像バイアスを給電することにより潜像担持体上の潜像を現像する現像装置において、
前記複数の給電用接点端子のうち少なくとも２つの前記給電用接点端子は、前記現像剤担持体の軸線方向で互いに異なる箇所に対して摺接し、
前記現像剤担持体の回転軸の外周面に対して摺接する前記給電用接点端子には、導電性のシート部材が固定され、
前記導電性のシート部材は、前記給電用接点端子に粘着テープで固定され、該粘着テープは前記現像剤担持体の回転軸との摺接部分に対応する前記導電性のシート部材と前記給電用接点端子との間以外に存在することを特徴とする現像装置。
【請求項２】
請求項１記載の現像装置において、
前記複数の給電用接点端子のうち少なくとも２つの前記給電用接点端子の一方は前記現像剤担持体の回転軸の先端部に対して摺接し、他方は前記現像剤担持体の回転軸の外周面に対して摺接することを特徴とする現像装置。
【請求項３】
請求項１又は２に記載の現像装置において、
前記給電部材は、１つの板金部材から構成されていることを特徴とする現像装置。
【請求項４】
請求項１又は２に記載の現像装置において、
前記現像剤担持体の回転軸の先端部に対して摺接する前記給電用接点端子は、カーボン端子であることを特徴とする現像装置。
【請求項５】
像担持体と、該像担持体の表面を帯電する帯電手段と、該像担持体の帯電された表面を露光して潜像を形成する露光手段と、該像担持体上の潜像を現像する現像手段と、該像担持体の表面をクリーニングするクリーニング手段とを有する画像形成装置の本体に対して着脱可能であり、少なくとも該像担持体と該現像手段とが一体的に支持されたプロセスカートリッジにおいて、
該現像手段が、請求項１〜４のいずれかの現像装置であることを特徴とするプロセスカートリッジ。
【請求項６】
像担持体と、該像担持体の表面を帯電する帯電手段と、該像担持体の帯電された表面を露光して潜像を形成する露光手段と、該像担持体上の潜像を現像する現像手段と、該像担持体の表面をクリーニングするクリーニング手段とを有する画像形成装置において、
該現像手段が、請求項１〜４のいずれかの現像装置であることを特徴とする画像形成装置。
【発明の詳細な説明】
【技術分野】
【０００１】
本発明は、現像装置、プロセスカートリッジ及び画像形成装置に関するものである。
【背景技術】
【０００２】
従来、中空回転体の現像剤担持体としての現像ローラに現像バイアスを印加して現像剤中のトナーを像担持体としての感光体上に静電的に付着させ、その表面上の静電潜像を可視像化する現像装置が知られている。
【０００３】
例えば、特許文献１には、回転する円筒状の現像ローラに対して現像バイアス電源から現像バイアスを給電する給電部材を備え、その給電部材を現像ローラの内部に固定配置している現像装置が開示されている。この給電部材は、受電用接点端子と２つの給電用接点端子とを備えたローラ電極板を有している。ローラ電極板は、現像バイアス電源からの電力を現像ローラ軸方向外側に露出する受電用接点端子で受ける。また、ローラ電極板に設けられる２つの給電用接点端子は、ローラ電極板本体から現像ローラ内周面に向けて互いに逆向きに延びている。回転する現像ローラの内周面に対して２つの給電用接点端子を摺接させることで、現像バイアス電源からの電力を現像ローラへ供給する。
【発明の概要】
【発明が解決しようとする課題】
【０００４】
上記特許文献１に開示の現像装置によれば、２つの給電用接点端子が現像ローラの軸線方向で同じ位置にあるので、２つの給電用接点端子によって摺接される現像ローラ側の摺動箇所はいずれも同じ箇所である。そのため、それぞれの給電用接点端子との接点不良に影響を及ぼす現像ローラ側の摺接箇所の状態（経時的摩耗など）が同様のものとなる。その結果、２つの給電用接点端子を用いていても、いずれの給電用接点端子も同じ時期に接点不良が発生しやすく、現像ローラへの給電の信頼性を十分に高めることができない。
【課題を解決するための手段】
【０００５】
上述した課題を解決するために、受電用接点端子と回転する現像剤担持体に対して摺動する複数の給電用接点端子とを備えた給電部材を有し、現像剤を外周面に担持して回転する前記現像剤担持体へ現像バイアス電源から前記給電部材を介して現像バイアスを給電することにより潜像担持体上の潜像を現像する現像装置において、前記複数の給電用接点端子のうち少なくとも２つの前記給電用接点端子は、前記現像剤担持体の軸線方向で互いに異なる箇所に対して摺接し、前記現像剤担持体の回転軸の外周面に対して摺接する前記給電用接点端子には、導電性のシート部材が固定され、前記導電性のシート部材は、前記給電用接点端子に粘着テープで固定され、該粘着テープは前記現像剤担持体の回転軸との摺接部分に対応する前記導電性のシート部材と前記給電用接点端子との間以外に存在することを特徴とするものである。
【発明の効果】
【０００６】
本発明によれば、現像バイアス給電の信頼性を高められるという特有の効果が得られる。
【図面の簡単な説明】
【０００７】
【図１】本発明の実施形態に係るプリンタ１００における画像形成部の要部を示す概略構成図。
【図２】現像装置１２を備えたプリンタ１００の概略構成図。
【図３】（ａ）はプロセスカートリッジ２０をプリンタ１００の後側から見た斜視図、（ｂ）は（ａ）のプロセスカートリッジ２０の後端部側の一部を破断して示す一部断面図。
【図４】上部クリーニング部のケースを外したときの作像ユニットの斜視説明図。
【図５】プロセスカートリッジ２０の断面図。
【図６】図３（ａ）のプロセスカートリッジ２０の後端部側の拡大斜視図。
【図７】本実施形態の現像装置における給電部材２００を説明する図。
【図８】給電部材２００とプロセスカートリッジ２０中の現像ローラ２８の回転軸２８ａとの接続を説明する説明図。
【図９】給電部材２００と現像ローラ２８の回転軸２８ａとの接続を説明する説明図。
【発明を実施するための形態】
【０００８】
以下、本発明を、画像形成装置である電子写真方式のプリンタ（以下、単に「プリンタ」という。）に適用した一実施形態について説明する。
図１は、本発明の実施形態に係るプリンタにおける画像形成部の要部を示す概略構成図である。像担持体であるドラム状の感光体１０の周りには、図１中左横に設けられたローラ状の帯電装置１１から感光体１０の矢印Ａで示す回転方向に向かって順に、下に現像装置１２、右横に転写装置１３と用紙分離装置１４、上にクリーニング装置１５が配置されている。
【０００９】
図２は、現像装置１２を備えたプリンタ１００の概略構成図である。図２において、紙面手前側は、ユーザが操作部や給紙カセット、あるいは図３〜図６等に示すプロセスカートリッジ２０を着脱操作する際の前側（正面側）に相当する。また、紙面奥側は、プリンタ１００本体側からの駆動をプロセスカートリッジ２０に伝達する駆動機構等が配置されている後側に相当する。
【００１０】
プリンタ１００は、原稿を複写するときには、公知のとおり、コンタクトガラス１０１上に原稿をセットしてからスタートボタンを押す。すると、光学読取装置１０２で原稿上の画像を読み取ると同時に、感光体１０と転写装置１３との間に、図２中矢印で示すように下から記録媒体となる用紙Ｐを送り込む。
【００１１】
一方、感光体１０は、駆動手段で回転駆動され、その回転に伴い帯電装置１１で表面を一様に帯電され、帯電された表面に光書込み装置１０３からレーザ光Ｌを照射して書き込みが行われる。これにより、感光体１０の表面には、読み取った原稿画像に対応する静電潜像が形成される。感光体１０では、現像装置１２との対向位置を通るときに現像装置１２からトナーとキャリアとを含む現像剤（２成分現像剤）中のトナーが感光体側へ移動することにより、感光体１０上の静電潜像にトナーが付着されて逐次可視像化される。この可視像化したトナー像は、上述したとおり、感光体１０と転写装置１３との間に送り込んだ用紙Ｐ上に、転写装置１３によって転写される。
【００１２】
転写後、用紙Ｐは、用紙分離装置１４で放電されることにより静電的に付着する感光体１０から分離され、定着装置１０４へ搬送してそこで転写画像が定着され、排紙部１０５へと排出される。用紙分離装置１４に代えて、分離爪を設け、感光体１０から機械的に用紙Ｐを分離するようにしてもよい。画像転写後の感光体１０は、表面に残った残留トナー等を、クリーニング装置１５に備える図１に示すクリーニングブレード１７で掻き落とされて表面が清掃された後、除電ランプで除電されてその表面電位が初期化される。
【００１３】
プリンタ１００では、上述した感光体１０と帯電装置１１と現像装置１２とクリーニング装置１５などを、後述する図３に示すように、筺体フレームとしての１つのカートリッジケース１９で一体化してプロセスカートリッジ２０を構成している。プロセスカートリッジ２０は、プリンタ１００の装置本体１０６に対して、カートリッジケース１９及び装置本体１０６に設けられた公知の着脱手段を介して、着脱可能に設置されている。
【００１４】
なお、プロセスカートリッジ２０は、これに限らず、少なくとも感光体１０と現像装置１２とを一体に備え、装置本体１０６に対して着脱可能に設置されるものであってもよい。また、本発明は、感光体１０と帯電装置１１と現像装置１２とクリーニング装置１５などが、プロセスカートリッジ２０を構成することなく、装置本体１０６内に配置されている画像形成装置にも準用可能である。
【００１５】
図３（ａ）はプロセスカートリッジ２０をプリンタ１００の後側から見た斜視図、図３（ｂ）は図３（ａ）のプロセスカートリッジ２０の後端部側の一部を破断して示す一部断面図である。図４は、上部クリーニング部のケースを外したときの作像ユニットの斜視説明図である。図５はプロセスカートリッジ２０の断面図である。図６は図３（ａ）のプロセスカートリッジ２０の後端部側の拡大斜視図である。
【００１６】
プロセスカートリッジ２０は、プリンタ１００の装置本体１０６内（図２参照）で前後に対向して設けられている側板間に取り付けられて着脱自在にセットされる。このプロセスカートリッジ２０には、感光体１０と帯電装置１１と現像装置１２とクリーニング装置１５などを収容するカートリッジケース１９が設けられている。更に、カートリッジケース１９の前後の端部には、プロセスカートリッジの筺体フレームとしてのカートリッジフレーム９が対で配置されている。
【００１７】
このようなプリンタ１００において、上述した現像装置１２では、図１に示すように、装置下部側に現像剤攪拌部２１を設け、上部側に現像剤担持部２２を設けている。現像剤攪拌部２１には、トナーとキャリアとを含む２成分現像剤を攪拌しながら回転搬送する回転部材及び搬送部材としての、第１搬送スクリュ２３と第２搬送スクリュ２４が設けられている。なお、第１搬送スクリュ２３と第２搬送スクリュ２４とは、攪拌部材としても機能する。現像剤中のトナーとキャリアとの混合比を例えば透磁率等から検知するトナー濃度センサも設けられている。
【００１８】
図１に示すように、現像剤担持部２２には、現像窓２７を通して感光体１０と対向する位置に現像剤担持体となる現像ローラ２８と、感光体１０への現像剤の供給量を制御する現像ドクタ２９とが配置されている。現像剤担持部２２では、開口を通して現像剤攪拌部２１から送り込まれた現像剤を、現像ローラ２８で担持して後、現像ドクタ２９で均一化して、その均一化した現像剤中のトナーを所定方向に回転しつつ感光体１０に付着させる。感光体１０の周囲に配置したクリーニング装置１５には、カートリッジケース１９のクリーニングケース部１５ａ内に、クリーニングブレード１７で掻き落した残留トナーを搬送するスクリュ状のトナー搬送部材３０が、感光体１０の軸方向に配置されている。搬送される残留トナー等は、感光体クリーニング装置長手方向端部（図５の図面奥側）に搬送し落下し、長手方向端部（図５の図面手前側）の傾斜容器の中空間を通って現像装置に搬送され、再度現像に利用（リサイクル）される。
【００１９】
現像装置１２では、現像時、駆動モータを駆動し、その駆動を伝達して現像ローラ２８を回転すると共に、第１搬送スクリュ２３及び第２搬送スクリュ２４を回転して現像剤を攪拌し、トナーとキャリアを摩擦帯電しつつ現像ローラ２８へ搬送する。一方、現像ローラ２８に所定の現像バイアスを印加して現像剤中のトナーを感光体１０の表面に静電的に付着しその表面上の潜像を可視像化する。
【００２０】
上述したように、２成分現像においては所望量のトナーを感光体１０に付着させるため、現像ローラ２８に汲み上げられるトナー量に関して、感光体１０へ静電的にトナーを付着させるための現像ローラ２８と感光体１０との間の距離の精度が重要である。現像ローラ２８と感光体１０との間の距離は、現像ローラ２８の回転軸２８ａと感光体１０の回転軸との位置決めをするために感光体１０及び現像ローラ２８の回転軸方向の両端部に配置される位置決め部材のピッチ間距離によって決められる。従って、高画質化及び画像濃度確保のためには、現像ローラ２８と感光体１０との間の距離である間隙を狭く、且つ精度良く維持する必要がある。現像ローラ２８と感光体１０との間の距離である現像ギャップは、狙いとする画質により異なるが、大体０．１〜０．５［ｍｍ］に設定される。
【００２１】
図１、図５、図６に示すように、第１搬送スクリュ２３と回転軸２３ａとが、第２搬送スクリュ２４と回転軸２４ａとが、それぞれ樹脂で一体的に形成されており、軽量化に寄与している。図６に示すように、第１搬送スクリュ２３の回転軸２３ａは、前後方向Ｙの後側で一部がカートリッジフレーム９の外表面から突出している。第２搬送スクリュ２４の回転軸２４ａは、前後方向Ｙの後側で一部がカートリッジフレーム９の外表面から突出している。回転軸２４ａの突出部の一端部でもある先端部には、搬送部材ギアとしての第２搬送スクリュギア５が取り付けられ固定されている。これにより、第２搬送スクリュギア５に回転駆動力が伝達されると、第２搬送スクリュギア５と回転軸２４ａとは一緒に回転する。なお、回転軸２４ａに装着された止め輪３２で、回転軸２４ａの前後方向Ｙの後側への抜けが止められている。
【００２２】
図６に示すように、第１搬送スクリュ２３の回転軸２３ａの後端側には第１搬送スクリュギアが設けられ、第２搬送スクリュ２４の回転軸２４ａの後端側には第２搬送スクリュギア５が設けられている。第１搬送スクリュ２３と第２搬送スクリュ２４とは、上記第１搬送スクリュギアと第２搬送スクリュギア５とがプロセスカートリッジ２０の後端側に設けられたアイドラギアとそれぞれ噛み合うことにより、同じ回転方向に回転するようになっている。図３、図６において、軸受部４は、第１搬送スクリュ２３の回転軸２３ａを軸受している。
【００２３】
第２搬送スクリュ２４の回転軸２４ａ近傍のカートリッジフレーム９（図６参照）の外側面（前後方向Ｙの後方向の面）には、被入力ギア２を回転可能に支持する被入力ギア軸２ｃが取り付け、固定されている。被入力ギア２は、プロセスカートリッジ２０が装置本体１０６に装着されたとき、装置本体１０６側のモータ等の駆動源から伝達される回転駆動力を伝達する駆動ギアと噛み合うようになっている。被入力ギア軸２ｃは、鋼材等の金属で形成されている。被入力ギア２は、小径ギア２ａと大径ギア２ｂとを有し、これらが適宜の樹脂で一体成形されている。被入力ギア２は、被入力ギア軸２ｃに装着された止め輪３３で、本体入力ギア軸２ｃの前後方向Ｙの後側への抜けが止められている。
【００２４】
現像ローラ２８の回転軸２８ａは、鋼材等の金属で形成されていて、カートリッジフレーム９の外側面から突出し、面板７に回転可能に支持されている。カートリッジフレーム９の外側面より突出した回転軸２８ａの先端部には、被入力ギア２の大径ギア２ａと常に噛み合う現像ローラギア３が取り付け、固定されている。現像ローラギア３は、回転軸２８ａに装着された止め輪３４で、回転軸２８ａの前後方向Ｙの後側への抜けが止められている。第２搬送スクリュギア５は、被入力ギア２の小径ギア２ｂと常に噛み合っている。被入力ギア２、現像ローラギア３、第２搬送スクリュギア５は、樹脂で形成されていて、軽量化に寄与している。
【００２５】
上記構成のとおり、プロセスカートリッジ２０が装置本体１０６（図２参照）に装着されセットされたとき、装置本体１０６側の駆動ギアと被入力ギア２の小径ギア２ｂとが噛み合い、装置本体１０６側から回転駆動力が伝達される。これと同時に、被入力ギア２の大径ギア２ａと噛み合っている現像ローラギア３が回転駆動されることで、現像ローラの回転軸２８ａが所定方向に回転する。同時に、被入力ギア２の小径ギア２ｂと噛み合っている第２搬送スクリュギア５が回転駆動されることで、第２搬送スクリュ２４（図１参照）の回転軸２４ａが回転し、上記アイドラギアを介して第２搬送スクリュ２４と同じ回転方向に第１搬送スクリュ２３（図１参照）も回転する。
【００２６】
図３（ｂ）、図６に示すように、カートリッジフレーム９の外側面には、面板７がネジ３１で締結され固定されている。図３（ａ）、（ｂ）に示すように、プロセスカートリッジ２０の前側のカートリッジフレーム９’の外側面には、面板がネジで締結され固定されている。これら一対の面板７では、図６に示すように、各面板に設けられた貫通孔において感光体１０の回転軸と現像ローラの回転軸２８ａとをそれぞれの回転軸方向の端部で回転可能に支持している。それにより、図１に示すように、感光体１０の回転軸と現像ローラ２８の回転軸２８ａとの軸間距離が定められている。
【００２７】
次に、本発明の特徴部分である給電部の給電部材について説明する。
図７は、本実施形態の現像装置における給電部材を説明する図である。図８及び図９は、給電部材２００と現像ローラ２８の回転軸２８ａとの接続を説明する説明図である。
図７に示すように、給電部材２００は、画像形成装置本体に取り付けられ、第１給電用接点端子２０１と第２給電用接点端子２０２とを備えている。第１給電用接点端子２０１の第１摺接部２０１ａは、現像ローラ２８の回転軸２８ａの先端部に点接触する。第２給電用接点端子２０２の第２摺接部２０２ａは、現像ローラ２８の先端部の外周面に面接触する。そして、回転する現像ローラの回転軸の先端部は、第１給電用接点端子２０１の第１摺接部２０１ａに対して回転摺接し互いが電通可能に接続し、回転する現像ローラの回転軸の外周面は第２給電用接点端子２０２の第２摺接部２０２ａに対して面摺接し互いが電通可能に接続している。給電部材２００は、板金部材で形成され、第１給電用接点端子２０１の第１摺接部２０１ａが現像ローラの回転軸の先端部に摺接する方向（図６中の前後方向Ｙの前側）に付勢し、第２給電用接点端子２０２の第２摺接部２０２ａが現像ローラの回転軸の外周面に摺接する方向（図６中の前後方向Ｙに対し直交する方向）に付勢している。これらにより、回転する現像ローラの回転軸との接触を確実にし、現像ローラへの給電を安定に行うことができる。さらに、給電部材２００を現像ローラ２８の回転軸２８ａに対し装填した時、第２給電用接点端子２０２は、現像ローラギア３の端面（図６中の前後方向Ｙの後側に面する端面）に押し当てられてガイド部材として機能するよう曲げ形状のガイド部２０２ｂを有している。図８及び図９に示すように、現像ローラ２８の回転軸２８ａに対し給電部材２００を装填した時、現像ローラ２８の回転軸２８ａは第１給電用接点端子２０１の第１摺接部２０１ａと第２給電用接点端子２０２の第２摺接部２０２ａとに接触する。
【００２８】
以上のように、第１給電用接点端子２０１と第２給電用接点端子２０２とは、回転する現像ローラ２８の回転軸２８ａの軸線方向で互いに異なる箇所で、その回転軸２８ａに電通可能に接続している。そのため、現像ローラ２８の回転軸２８ａと第１給電用接点端子２０１との第１摺接部２０１ａと、現像ローラ２８の回転軸２８ａと第２給電用接点端子２０２との第２摺接部２０２ａとが現像ローラ２８の軸線方向で互いに異なる。その結果、経時による第１給電用接点端子２０１と第２給電用接点端子２０２の摩耗量は互いに異なる。これにより、第１給電用接点端子２０１と現像ローラ２８の回転軸２８ａとが接触不良になる時期と、第２給電用接点端子２０２と現像ローラ２８の回転軸２８ａの外周面とが接触不良になる時期とが、互いに異なってくる。よって、いずれか一方の摺接部で接点不良が起きて給電が止まっても他方の給電は維持され、現像バイアス電源からの現像バイアスの給電が停止する事象の発生を抑制することができる。
【００２９】
なお、第１給電用接点端子２０１には、耐久性の高いカーボン端子が固定されている。第２給電用接点端子２０２の第２摺接部２０２ａには、現像ローラ２８の回転軸２８ａの外周面との接触に関しても金属同士の摺接による異音の発生を抑制するため、導電性のシート部材が貼り付けられている。この導電性のシート部材と第２給電用接点端子２０２の第２摺接部２０２ａとは、両面テープ等の粘着部材で固定するものであるが、現像ローラの回転軸との接触箇所に関しては両面テープを除外して抵抗を減らし、確実に給電できるような構成としている。
【００３０】
以上本発明の好ましい実施の形態等について説明したが、本発明はかかる特定の実施形態に限定されるものではなく、上述の説明で特に限定していない限り、特許請求の範囲に記載された本発明の趣旨の範囲内において、種々の変形・変更が可能である。即ち、上述した実施形態や変形例等に例示されているものを適宜組み合わせて構成してもよい。例えば、本発明を適用する画像形成装置は、上述のタイプの画像形成装置に限らず、他のタイプの画像形成装置であってもよい。即ち、上述した画像形成装置に限らず、カラー画像形成装置であって、イエロー、マゼンタ、シアン、ブラックの４色のトナーに対応するようにプロセスカートリッジを４つ備えたタンデム型中間転写方式等の画像形成装置であってもよい。
【００３１】
また、上記プロセスカートリッジに限らず、回転部材が、例えば、上記プロセスカートリッジを構成する帯電装置やクリーニング装置に配置されたものであってもよい。具体的には、回転部材が、例えば帯電装置において回転駆動される帯電ローラなどの場合や、回転駆動されるクリーニング装置において、トナーを廃棄または循環させる現像剤搬送スクリュなどの場合である。本発明の技術思想は、現像装置や現像ユニット、帯電装置や帯電ユニット、クリーニング装置やクリーニングユニット等が、位置決め部材に類似する部材を伴って画像形成装置の装置本体に対して着脱可能に設置される着脱ユニット及び画像形成装置にも準用できる。
【００３２】
以上に説明したものは一例であり、次の態様毎に特有の効果を奏する。
（態様Ａ）
受電用接点端子と回転する現像ローラ２８等の現像剤担持体に対して摺動する第１給電用接点端子２０１、第２給電用接点端子２０２等の複数の給電用接点端子とを備えた給電部材２００を有し、現像剤を外周面に担持して回転する前記現像剤担持体へ現像バイアス電源から前記給電部材を介して現像バイアスを給電することにより感光体１０等の潜像担持体上の潜像を現像する現像装置１２において、前記複数の給電用接点端子のうち少なくとも２つの前記給電用接点端子は、前記現像剤担持体の軸線方向で互いに異なる箇所に対して摺接することを特徴とするものである。
本態様によれば、複数の給電用接点端子のうち少なくとも２つの給電用接点端子によって摺接される現像ローラ側の摺接箇所は、現像剤担持体の軸線方向で互いに異なる。そのため、それぞれの摺接箇所について給電用接点端子との接点不良に影響を及ぼす現像ローラ側の摺接箇所の状態が異なり、同じ時期に接点不良は発生し難い。よって、現像バイアス給電の信頼性を高められる。
【００３３】
（態様Ｂ）
（態様Ａ）において、前記複数の給電用接点端子のうち少なくとも２つの前記給電用接点端子の一方は前記現像剤担持体の回転軸の先端部に対して摺接し、他方は前記現像剤担持体の回転軸の外周面に対して摺接することを特徴とするものである。
本態様によれば、現像剤担持体の回転軸の先端部での摺接は点接触による回転摺接である。一方、現像剤担持体の回転軸の外周面での摺動は面接触による面摺接である。それぞれの給電用接点端子との接点不良に影響を及ぼす現像ローラ側の摺接箇所の状態、例えば経時的摩耗が互いに異なるため、それぞれの給電用接点端子の摩耗の連続的な進み方（進行度）などが互いに異なる。よって、各摺接箇所で同じ時期に接点不良が発生し難く、現像バイアスの給電は維持される。
【００３４】
（態様Ｃ）
（態様Ａ）又は（態様Ｂ）において、前記給電部材は、１つの板金部材から構成されていることを特徴とするものである。
本態様によれば、部品手数を抑えられ、低コスト化を図ることができる。
【００３５】
（態様Ｄ）
（態様Ａ）又は（態様Ｂ）において、前記現像剤担持体の回転軸の先端部に摺接する前記給電用接点端子は、カーボン端子であることを特徴とするものである。
本態様によれば、カーボン端子は耐久性が高いので、給電部材の寿命が長くなり、ライニングコストを抑えられる。
【００３６】
（態様Ｅ）
（態様Ａ）又は（態様Ｂ）において、前記現像剤担持体の回転軸の外周面に摺接する前記給電用接点端子には、導電性のシート部材が固定されていることを特徴とするものである。
本態様によれば、現像剤担持体の回転軸の外周面との摺接において金属同士の摺接による異音の発生を抑制することができる。
【００３７】
（態様Ｆ）
（態様Ｅ）において、前記導電性のシート部材は、前記給電用接点端子に粘着テープで固定され、該粘着テープは前記現像剤担持体の回転軸との摺動部分に対応する前記導電性のシート部材と前記給電用接点端子との間以外に存在することを特徴とするものである。
本態様によれば、粘着テープは絶縁体であり、その粘着テープを現像剤担持体の回転軸との接触部分に対応する導電性のシート部材と給電部材の給電用接点端子との間には設けられてない。それにより、現像剤担持体と給電部材の給電用接点端子とは確実に導電性のシート部材を介して電気的に接続される。よって、現像剤担持体に現像バイアスを印加することができる。
【００３８】
（態様Ｇ）
感光体１０等の像担持体と、該像担持体の表面を帯電する帯電装置１１等の帯電手段と、該像担持体の帯電された表面を露光して潜像を形成する光書込み装置１０３等の露光手段と、該像担持体上の潜像を現像する現像装置１２等の現像手段と、該像担持体の表面をクリーニングするクリーニング装置１５等のクリーニング手段とを有するプリンタ１００等の画像形成装置の本体に対して着脱可能であり、少なくとも該像担持体と該現像手段とが一体的に支持されたプロセスカートリッジ２０において、該現像手段が、（態様Ａ）〜（態様Ｆ）の現像装置である。
本態様では、現像バイアスの給電が安定に行われる。これにより、異常画像の発生を抑制できる現像装置の画像形成装置本体に対する交換性を高めることができる。
【００３９】
（態様Ｈ）
像担持体と、該像担持体の表面を帯電する帯電手段と、該像担持体の帯電された表面を露光して潜像を形成する露光手段と、該像担持体上の潜像を現像する現像手段と、該像担持体の表面をクリーニングするクリーニング手段とを有する画像形成装置において、該現像手段が、（態様Ａ）〜（態様Ｆ）の現像装置である。本態様によれば、異常画像の発生を抑制できる。
【符号の説明】
【００４０】
１２  現像装置
２８  現像ローラ
２８ａ  回転軸
１００  プリンタ
２００  給電部材
２０１  第１給電用接点端子
２０１ａ  第１摺接部
２０２  第２給電用接点端子
２０２ａ  第２摺接部
２０２ｂ  ガイド部
【先行技術文献】
【特許文献】
【００４１】
【特許文献１】特開２０００−３１５００６号公報
【図１】
0006624500.tif 000002
【図２】
0006624500.tif 000003
【図３】
0006624500.tif 000004
【図４】
0006624500.tif 000005
【図５】
0006624500.tif 000006
【図６】
0006624500.tif 000007
【図７】
0006624500.tif 000008
【図８】
0006624500.tif 000009
【図９】
0006624500.tif 000010